(57)【要約】【課題】煩雑な操作を要することなく容易に脱落防止機能を働かせることができ、組立作業の効率化と信頼性の向上を図ることができる電気機器の脱落防止装置を得る。【解決手段】接続端子（プラグ５）及び脱落を防止し得る係合部（貫通孔５ａ）が設けられた電気機器２を着脱可能に取付けるための機器装着部３と、電気機器の機器装着部への装着状態で前記係合部に係合される係止部材（係止ピン４）とを備え、前記機器装着部または前記係止部材をスライド移動させることにより、前記係合部と前記係止部材とが係脱するようにした。【選択図】図４
2015153707.tif 000002
【特許請求の範囲】
【請求項１】
電気的な接続端子及び脱落防止用の係合部が設けられている電気機器を着脱可能に取付けるための機器装着部と、前記電気機器の前記機器装着部への装着状態で前記係合部に係合され前記電気機器の脱落を防止する係止部材とを備え、前記電気機器が装着された前記機器装着部または前記係止部材をスライド移動させることにより、前記係合部と前記係止部材とが係脱し得るようにしたことを特徴とする電気機器の脱落防止装置。
【請求項２】
前記係合部は前記接続端子に設けられた貫通孔からなり、前記係止部材は前記機器装着部に対して前記電気機器の着脱方向に対して直交する面の方向にスライド移動可能に設けられ、前記貫通孔に挿入し得るように突出された係止ピンと、前記係止ピンをスライド移動させる操作ノブとが一体的に設けられてなることを特徴とする請求項１記載の電気機器の脱落防止装置。
【請求項３】
前記係止部材は、前記電気機器が前記機器装着部に装着されるときに前記接続端子の先端部に当接し、前記電気機器の装着によってスライド移動されるように形成された摺動傾斜面を有してなることを特徴とする請求項２記載の電気機器の脱落防止装置。
【請求項４】
前記係止部材が、前記係合部に係合しているときの状態と、係合していない状態とを、前記係止部材の位置に応じて表示する表示装置を備えたことを特徴とする請求項１から請求項３の何れかに記載の電気機器の脱落防止装置。
【請求項５】
前記係止部材が前記係合部に係合したときに作動するように設けられたスイッチと、前記スイッチによって前記係止部材と前記係合部との係合状態を知らせる報知回路を備えたことを特徴とする請求項１から請求項４の何れかに記載の電気機器の脱落防止装置。
【請求項６】
電気的な接続端子及び脱落防止用の係合部が設けられている電気機器を着脱可能に取付けるための機器装着部と、前記電気機器の前記機器装着部への装着状態で前記係合部に係合され前記電気機器の脱落を防止する係止部材とを備え、前記電気機器の前記係合部は、前記電気機器を構成する筐体の外部に弾性変形し得るように設けられ先端部に係合爪を有する係合体からなり、前記係止部材は、前記電気機器を前記機器装着部に装着するときに前記電気機器の前記係合体を係止するように前記機器装着部に設けられた爪受けからなることを特徴とする電気機器の脱落防止装置。
【発明の詳細な説明】
【技術分野】
【０００１】
この発明は、配電盤や制御盤などの盤に装着されるリレーやタイマ等の電気機器を取り付ける場合に好ましく用いられる電気機器の脱落防止装置に関するものである。
【背景技術】
【０００２】
電気機器の脱落防止装置として、リレーに嵌合する枠状止め部品により該リレーの端子を遮蔽かつ押圧保持すると共に、前記枠状止め部品に設けた弾性係合爪を前記リレーが取り付けられるソケット本体に係合するようにしたものがある（例えば特許文献１参照）。
【先行技術文献】
【特許文献】
【０００３】
【特許文献１】実開昭５２−１０５０５１号公報（第１〜２頁、第１〜３図）
【発明の概要】
【発明が解決しようとする課題】
【０００４】
前記のような従来の技術では、機器をソケットへ装着後、盤輸送時等の振動や衝撃による脱落を防止するため、機器の左右、または上下方向を固定するよう保持金具をソケットに取付ける追加作業の必要があった。また、保持金具を取付けない場合、ソケットに対して機器装着の十分性を確認することは目視だけでは困難であった。
【０００５】
この発明は上記のような問題を解消するためになされたものであり、電気機器を装着するときの過程で煩雑な操作を要することなく容易に脱落防止機能を働かせることができ、組立作業の効率化と信頼性の向上を図ることができる電気機器の脱落防止装置を提供することを目的としている。
【課題を解決するための手段】
【０００６】
この発明に係る電気機器の脱落防止装置は、接続端子及び脱落を防止し得る係合部が設けられた電気機器を着脱可能に取付けるための機器装着部と、前記電気機器の前記機器装着部への装着状態で前記係合部に係合される係止部材とを備え、前記機器装着部または前記係止部材をスライド移動させることにより、前記係合部と前記係止部材とが係脱するようにしたものである。
【発明の効果】
【０００７】
この発明においては、前記機器装着部または前記係止部材をスライド移動させることにより、前記係合部と前記係止部材とが係脱するようにしたので、電気機器を機器装着部に装着するときの過程で、スライド移動という簡素な操作のみで容易に脱落防止機能を働かせることができ、組立作業の効率化と信頼性の向上を図ることができる。
【図面の簡単な説明】
【０００８】
【図１】この発明の実施の形態１による電気機器の脱落防止装置を備えたソケットの要部構成を模式的に示す斜視図。
【図２】図１に示されたソケットに装着される電気機器を概略的に示す斜視図。
【図３】図１に示されたソケットの脱落防止装置が働いた状態を示す要部斜視図。
【図４】この発明の実施の形態２による電気機器の脱落防止装置を備えたソケットに電気機器が装着され、脱落防止装置の動作前の状態を側面からみた要部断面図。
【図５】図４に示されたソケットの脱落防止装置が働いた状態を示す要部斜視図。
【図６】この発明の実施の形態３による電気機器の脱落防止装置を備えたソケットに電気機器を装着する過程で、脱落防止装置の動作前の状態を側面からみた要部断面図。
【図７】図６に示されたソケットの脱落防止装置が働いた状態を示す要部斜視図。
【図８】この発明の実施の形態４による電気機器の脱落防止装置とその動作を表示する表示装置を備えたソケットの要部構成を模式的に示す斜視図。
【図９】図８に示されたソケットの脱落防止装置とその動作を表示する表示装置が作動したときの状態を概念的に示す要部断面側面図。
【図１０】この発明の実施の形態５による電気機器の脱落防止装置に報知回路を備えたソケットの要部構成を概略的に示す図。
【図１１】この発明の実施の形態６による電気機器の脱落防止装置を示す斜視図。
【図１２】図１１に示されたソケットに電気機器が装着され脱落防止装置が動作している状態を示す斜視図。
【発明を実施するための形態】
【０００９】
実施の形態１．
図１はこの発明の実施の形態１による電気機器の脱落防止装置を備えたソケットの要部構成を模式的に示す斜視図、図２は図１に示されたソケットに装着される電気機器を概略的に示す斜視図、図３は図１に示されたソケットの脱落防止装置が働いた状態を示す要部斜視図である。なお、本書では電気機器が、突出された複数の接続端子を有するリレーであって、脱落防止装置はそのリレーを装着するソケット自体、またはリレーとソケットとの間に設けられた場合を例に説明する。また、リレーの接続端子に対応してソケット側に設けられる電気的接続用の受側の端子などは、従来のものと同様であるので、煩雑さを避けるために図示及び説明を省略する。
【００１０】
図において、ソケット１は、リレーでなる電気機器２を着脱可能に取付けるための機器装着部３を有し、ソケット１の内部には複数（ここでは９個）の雄ピンからなる係止ピン４が図において上向きに設けられている。一方、電気機器２の背面部には、図２に示すように接続端子である複数（ここでは図に表れていない部分を含めて合計９個）のプラグ５が突出されており、その各プラグ５には貫通孔５ａが設けられている。係止ピン４は樹脂などの絶縁材からなり、プラグ５の貫通孔５ａに挿通できる形状に形成されており、機器装着部３の内部に固定された絶縁板４ａにプラグ５と縦横同一の間隔でここでは９本が立設されている。
【００１１】
なお、機器装着部３は一般的なリレー用のソケットと同様に、電気機器２を装着したときに、プラグ５と電気的及び機械的な接続を図る受側の端子を有しているほか、この実施の形態１の特徴部分の一つとして、その機器装着部３は、電気機器２を装着してプラグ５による電気的な接続が図られた状態で、図１の上下方向に移動可能に構成されているが、その構造は周知技術を用いて容易に構成できる部分であるので、図示省略している。この実施の形態１は、ソケット１の内部に固定された係止ピン４に対して、プラグ５を機器装着部３に装着後、機器装着部３と共に図の下方向にスライド移動させることで、プラグ５に設けられた貫通孔５ａに係止ピン４が挿入され、プラグ５が係止ピン４によって挿脱方向に拘束されて脱落を防止する構造である。プラグ５の貫通孔５ａが脱落を防止し得る係合部を構成し、係止ピン４が電気機器２の機器装着部３への装着状態で貫通孔５ａに係合される係止部材を構成している。
【００１２】
次に動作について説明する。電気機器２をソケット１の機器装着部３に差し込むことで装着した後、その電気機器２を図１の下方向へスライド操作すると、図３に示すとおり係止ピン４が電気機器２のプラグ５の貫通孔５ａに挿入され、プラグ５が係止ピン４によって挿脱方向に拘束されて電気機器２の脱落を防止する機能が働く。なお、電気機器２をソケット１から取り外す場合はその逆の操作を行うことで脱落防止機能が解除され、容易に外すことができる。
【００１３】
以上のように、実施の形態１によれば、電気機器を機器装着部に装着するときの過程で、スライド移動という簡素な操作のみで容易に脱落防止機能を働かせることができ、組立作業の効率化と信頼性の向上を図ることができる。従来の技術のように保持金具を別途に取付ける必要なく電気機器の脱落防止機能が働くため、追加取付け作業が削減でき、作業効率の向上を図ることができる。また、電気機器の装着が不完全の場合、貫通孔５ａと係止ピン４が噛み合わないため、装着が不完全のまま脱落防止機能が働くことはない。更に、下方向へスライド操作することから、作業者の右利き、左利きによる作業性の違いを生じることがないという効果が得られる。
【００１４】
実施の形態２．
図４はこの発明の実施の形態２による電気機器の脱落防止装置を備えたソケットに電気機器が装着され、脱落防止装置の動作前の状態を側面からみた要部断面図、図５は図４に示されたソケットの脱落防止装置が働いた状態を示す要部斜視図である。前記実施の形態１では、係止ピン４が固定されており、電気機器２をスライド操作することで脱落を防止する構造としたが、この実施の形態２は図５のようにソケット１Ａの側に設けた係止ピンをスライドさせるようにしたものである。なお、ソケット１Ａには、装着された電気機器と共に機器装着部３Ａをスライドさせるスライド機構などは設けられていない。
【００１５】
図において、ソケット１Ａの内部には、図の上下方向にスライド移動されることで、突設された係止ピン４Ａが、機器装着部３Ａに装着された電気機器２に突設されたプラグ５の貫通孔５ａに対して、係脱されるように形成された係止部材としてのスライド部材６が設けられている。係止ピン４Ａはプラグ５に対応してプラグ５と同数がスライド部材６に一体的に設けられている。そして、スライド部材６の一端部はソケット１Ａの図の上部側から外部に突出されて、その突出部分に係止ピン４Ａをスライド移動させる操作ノブ６ａが形成されている。その他の符号は実施の形態１と同様である。
【００１６】
上記のように構成された実施の形態２においては、電気機器２をソケット１Ａの機器装着部３Ａに装着後、ソケット１Ａの上部に突き出している操作ノブ６ａを押下することで、プラグ５の貫通孔５ａに係止ピン４Ａが挿入され、電気機器２の脱落を防止する機能が働く。電気機器２をソケット１Ａから外す場合、操作ノブ６ａを図における上方向に引き上げ操作することで、脱落防止機能が解除される。
実施の形態２によれば、保持金具を別途必要としないなど実施の形態１と同様の効果が得られるほか、機器装着部３Ａはスライド移動させる必要がないので、電気的な回路の構成を簡素にでき、実施の形態１よりも安価に提供し得るなどの効果が得られる。
【００１７】
実施の形態３．
図６はこの発明の実施の形態３による電気機器の脱落防止装置を備えたソケットに電気機器を装着する過程で、脱落防止装置の動作前の状態を側面からみた要部断面図、図７は図６に示されたソケットの脱落防止装置が働いた状態を示す要部斜視図である。図において、スライド部材６Ａは、係止ピン４Ｂを一体的に備えていると共に、電気機器２が機器装着部３Ａに装着されるときに接続端子であるプラグ５の先端部に当接し、電気機器２を装着するときの押し込み力によってスライド移動されるように形成された摺動傾斜面６ｂが形成されている。その他の構成は実施の形態２と同様である。
【００１８】
上記のように構成された実施の形態３においては、電気機器２をソケット１Ａへ装着操作することで、電気機器２に突出されたプラグ５の先端部が摺動傾斜面６ｂに当接した後、スライド部材６Ａを押し上げ、プラグ５の貫通孔５ａに係止ピン４Ｂが挿入されることで脱落防止機能が働くこととなる。このとき、スライド部材６Ａの操作ノブ６ａがソケット１Ａの上部に突き出てくる。一方、脱落防止機能を解除するには、操作ノブ６ａを押下することで、脱落防止機能の解除と電気機器２の取外し操作を同時に行うことができる。
このように、実施の形態３によれば、電気機器２の装着操作のみで脱落防止機能を動作させることができるので、保持金具を別途必要としないなど実施の形態１と同様の効果が得られるほか、組立作業や保守作業が容易となるなどの効果が得られる。
【００１９】
実施の形態４．
図８はこの発明の実施の形態４による電気機器の脱落防止装置とその動作を表示する表示装置を備えたソケットの要部構成を模式的に示す斜視図、図９は図８に示されたソケットの脱落防止装置とその動作を表示する表示装置が作動したときの状態を概念的に示す要部断面側面図である。なお、図８は実施の形態１の図１に対応する図であるが、簡略化のため係止ピン４を図面上省略してある。図において、ソケット１には電気機器２が装着され、係止部材である係止ピン４が、係合部であるプラグ５の貫通孔５ａに係合しているときの状態と、係合していない状態とを表示する表示装置７が設けられている。
【００２０】
表示装置７は、ソケット１の内部には、電気機器２が装着されたときにプラグ５の先端部に係合し、電気機器２を装着した機器装着部３のスライド移動に応じて電気機器２と同方向に移動する状態表示部材７ａと、状態表示部材７ａの所定部に突出された表示体７ｂが見え隠れするようにソケット１の上部に設けられた透明な表示窓８から構成されている。状態表示部材７ａはソケット１の外表面の色に対して区別が容易な視認性の良い体色の材料で構成され、もしくは図の上端部に突出された表示体７ｂが着色されている。そして、プラグ５との係合部は、互いに平行に対向された上爪７ｃと下爪７ｄによって構成されている。その他の構成は実施の形態１と同様である。
【００２１】
次に動作について説明する。電気機器２をソケット１に装着したとき、プラグ５が状態表示部材７ａの上爪７ｃと下爪７ｄの間に入り込む形となる。このとき、図９に示すように表示窓８からは表示体７ｂが見える状態にあり、この状態を脱落防止機能が働いていないと判断できる。脱落防止機能を働かせるため、電気機器２を下方向へスライド操作することで、下爪７ｄが同時に下に押され、一体となっている表示体７ｂも下がる。このとき、表示窓８からは、表示体７ｂが見えなくなり、この状態を脱落防止機能が働いたと判断できる。なお、図８は脱落防止機能が働いた状態を示している。
本実施の形態４によれば、電気機器２の装着操作のみで脱落防止機能を動作させることができるので、保持金具を別途必要としないなど実施の形態１と同様の効果が得られるほか、脱落防止機能の動作を表示装置７によって容易に確認できるなどの効果が得られる。
【００２２】
実施の形態５．
図１０はこの発明の実施の形態５による電気機器の脱落防止装置に報知回路を備えたソケットの要部構成を概略的に示す図である。なお、脱落防止装置の構成は実施の形態１と同様であり、以下図１〜３も参照して説明する。図において、ソケット１の内部には、電気機器２が装着されたときに、挿入されたプラグ５の側面に接触することで電気的に接続されてオンされるスイッチを構成する一対の接触端子９ａ、９ｂと、接触端子９ａ、９ｂがオンのときに発報動作するように設けられたブザー１１及び内部電源１０を有する報知回路９が設けられている。なお、実施の形態１と同様に、係止ピン４はソケット１に対して固定され、電気機器２の機器装着部３は電気機器２を装着した状態で、図の上下方向にスライド移動できるように構成されている。
【００２３】
次に動作について説明する。電気機器２をソケット１に装着したとき、プラグ５が接触端子９ａ、９ｂを短絡する状態で報知回路９が閉路となり、ブザー１１が発報する。この状態を脱落防止機能が働いていないと判断できる。脱落防止の機能を働かせるため、電気機器２を下方向へスライド操作することで、プラグ５と接触端子９ａ、９ｂが離れるのでブザー回路９が開路となり、ブザーの発報は止まる。この状態を脱落防止機能が働いたと判断できる。
以上のように、実施の形態５によれば、実施の形態４で示した視覚による確認方法以外に、報知回路９による聴覚による確認が可能となる。そのため、脱落防止機能の動作を確実にチェックすることができるので、組立作業を一層確実にすることができる。なお、報知回路９による方式はブザーを用いた聴覚による報知手法に限らず、例えばランプなどを点灯させる視覚的な回路を用いるなど適宜変形や変更が可能である。
【００２４】
実施の形態６．
図１１はこの発明の実施の形態６による電気機器の脱落防止装置を示す斜視図、図１２は図１１に示されたソケットに電気機器が装着され脱落防止装置が動作している状態を示す斜視図である。図において、ソケット１Ａの機器装着部３Ａの側端部には、図の上方に突出された爪受けからなる係止部材１２が設けられている。一方、電気機器２Ａの側端部には、上端が電気機器２Ａを構成する筐体の上端部に固定され、下端側が自由端で弾性変形し得るように構成され、下端部には機器装着部３Ａの係止部材１２に係合する係合爪１３ａを有する係合体１３が一体的に設けられている。なお、ソケット１Ａには実施の形態１で説明した装着された電気機器と共に機器装着部をスライドさせるスライド機構などは設けられていない。また、電気機器の脱落防止装置は、機器装着部３Ａの係止部材１２と、電気機器２Ａに設けられた係合部としての係合体１３によって構成されている。
【００２５】
次に、動作について説明する。図１１に示すように、ソケット１Ａの機器装着部３Ａに電気機器２Ａを装着するとき、係合体１３の係合爪１３ａは係止部材１２の傾斜面１２ａに当接して電気機器２Ａの挿入方向に直交する面における図の右上方向に弾性変形して蓄勢される。電気機器２Ａがさらに挿入方向に移動されて機器装着部３Ａへの装着が完了した時点では、係合体１３の先端部の係合爪１３ａが係止部材１２の傾斜面１２ａを通り越すと、係合体１３に蓄勢された弾性による復元力が開放されて、傾斜面１２ａの下端に形成された段部１２ｂに係合爪１３ａが進入して係合されることで脱落防止機能が働く。
【００２６】
上記のように構成された実施の形態６においては、電気機器２Ａをソケット１Ａに差し込むと、装着が完了した時点で係合爪１３ａと係止部材１２が係合し、脱落防止機能が働く。電気機器２Ａをソケット１Ａから外す場合は、係合体１３を押した状態でソケット１Ａから引き抜き操作をするだけで外すことができる。なお、係止部材１２と係合体１３の関係は逆にしても良いことは言うまでもない。
【００２７】
なお、本発明は、その発明の範囲内において、各実施の形態の一部または全部を自由に組み合せたり、各実施の形態を適宜、変形、省略することが可能である。例えば、脱落防止用の係合部として、プラグ５の貫通孔５ａを利用するようにしたが必ずしもそれに限定されるものではない。また、貫通孔５ａを有するプラグ５の全て（実施の形態では９本）に、電気機器２の機器装着部３への装着状態で係合部に係合される係止部材としての係止ピン４が係合されるように構成したが、必ずしもそれに限定されず、一部の係合部だけを利用して構成することもできる。
【符号の説明】
【００２８】
１  ソケット、１Ａ  ソケット、２  電気機器、２Ａ  電気機器、３  機器装着部、３Ａ  機器装着部、４  係止ピン、４Ａ  係止ピン、４Ｂ  係止ピン、４ａ  絶縁板、５  プラグ、５ａ  貫通孔、６  スライド部材、６Ａ  スライド部材、６ａ  操作ノブ、６ｂ  摺動傾斜面、７  表示装置、７ａ  状態表示部材、７ｂ  表示体、７ｃ  上爪、７ｄ  下爪、８  表示窓、９  報知回路、９ａ、９ｂ  接触端子、１０  内部電源、１１  ブザー、１２  係止部材、１２ａ  傾斜面、１２ｂ  段部、１３  係合体、１３ａ  係合爪。
【図１】
2015153707.tif 000003
【図２】
2015153707.tif 000004
【図３】
2015153707.tif 000005
【図４】
2015153707.tif 000006
【図５】
2015153707.tif 000007
【図６】
2015153707.tif 000008
【図７】
2015153707.tif 000009
【図８】
2015153707.tif 000010
【図９】
2015153707.tif 000011
【図１０】
2015153707.tif 000012
【図１１】
2015153707.tif 000013
【図１２】
2015153707.tif 000014